(57)【要約】【課題】電源コード巻取り装置内でのコードの重なりを防止しスムーズに電源コードの出し入れができる使い勝手の良い電気掃除機を提供する。【解決手段】一段渦巻き状の電源コード巻取り装置３において、電源コード１６を巻付けるための巻取り胴部２０とその下側に巻き取った電源コード１６を乗せるための円盤状の底壁１４で形成された回転ドラム１３と、回転ドラム１３を回転自在に支持するドラム支持軸１２と、電源コード１６を挟んで回転ドラム１３と対向する位置に、電源コード１６の巻取り方向に回転自在な回転体１９と、回転体１９とを備えたもので、電源コード巻取り装置３自体の剛性を上げ、電源コード巻取り空間を一定に保つことができるとともに、回転体１９による巻取り抵抗の低減によりスムーズな電源コード巻取り性を確保することができるものである。【選択図】図３
2009240550.tif 000002
【特許請求の範囲】
【請求項１】
電源コードを巻き付けるための巻取り胴部と、巻き付けた電源コードを乗せるための円盤状の回転ドラムと、前記回転ドラムを回転自在に支持するドラム支持軸と、前記電源コードを挟んで前記回転ドラムと対向する位置に回転軸が前記回転ドラムと平行で電源コードの巻取り方向に回転自在に設けた回転体とを備え、前記回転ドラムと前記回転体の間に前記電源コードを水平方向で且つ一段渦巻状に巻き取ることを特徴とする電源コード巻取り装置。
【請求項２】
回転体を、円筒状に構成し、ドラム支持軸を中心に複数、放射状に配置した請求項１記載の電源コード巻取り装置。
【請求項３】
回転体の外径を電源コードの線径よりも小さくした請求項２記載の電源コード巻取り装置。
【請求項４】
回転体の表面に螺旋形状の溝あるいは凸部を形成した請求項２記載の電源コード巻取り装置。
【請求項５】
電源コードの被覆断面形状を縦筋の凸部を有するものとした請求項１〜４記載の電源コード巻取り装置。
【請求項６】
請求項１〜５のいずれか１項に記載の電源コード巻取り装置を備えたことを特徴とする電気掃除機。
【発明の詳細な説明】
【技術分野】
【０００１】
本発明は、電源コード巻取り装置およびそれを有する電気掃除機に関するものである。
【背景技術】
【０００２】
従来のこの種の電源コード巻取り装置としては、回転ドラムの上下に円盤上の上壁／下壁が形成され、供回りする上壁と下壁の間に電源コードを巻取っていく構成があった（例えば、特許文献１参照）。
【特許文献１】特開昭６０−９７１７７号公報
【発明の開示】
【発明が解決しようとする課題】
【０００３】
しかしながら、上記のような電源コード巻取り装置では、家庭用電気掃除機に使用するような電源コードでは回転ドラムの径が大きくなるために、成型による反りの影響や剛性不足でスムーズな電源コードの巻取りができないという課題があった。
【０００４】
本発明は上記従来の課題を解決するものであって、電源コード巻取り装置自体の剛性を上げ、電源コード巻取り空間を一定に保つとともに、前記回転体による巻取り抵抗の低減によりスムーズな電源コード巻取り性を確保するもので、使用性の向上を図るものである。
【課題を解決するための手段】
【０００５】
上記従来の課題を解決するために、電源コードを巻き付けるための巻取り胴部と、巻き付けた電源コードを乗せるための円盤状の回転ドラムと、前記回転ドラムを回転自在に支持するドラム支持軸と、前記電源コードを挟んで前記回転ドラムと対向する位置に回転軸が前記回転ドラムと平行で電源コードの巻取り方向に回転自在に設けた回転体とを備え、前記回転ドラムと前記回転体の間に前記電源コードを水平方向で且つ一段渦巻状に巻き取ることを特徴とするものである。
【０００６】
上記構成より、電源コード巻取り装置自体の剛性を上げ、電源コード巻き取り空間を一定に保つことができるとともに、前記回転体による巻取り抵抗の低減によりスムーズな電源コード巻取り性を確保することができるものである。
【発明の効果】
【０００７】
本発明の電源コード巻取り装置は、装置内でのコードの重なりを防止しスムーズに電源コードの出し入れができるとともに、電気掃除機本体の外径を最小限に抑えることを目的としている。
【発明を実施するための最良の形態】
【０００８】
第１の発明は、電源コードを巻き付けるための巻取り胴部と、巻き付けた電源コードを乗せるための円盤状の回転ドラムと、前記回転ドラムを回転自在に支持するドラム支持軸と、前記電源コードを挟んで前記回転ドラムと対向する位置に回転軸が前記回転ドラムと平行で電源コードの巻取り方向に回転自在に設けた回転体とを備え、前記回転ドラムと前記回転体の間に前記電源コードを水平方向で且つ一段渦巻状に巻き取ることを特徴とするもので、電源コード巻取り装置自体の剛性を上げ、電源コード巻取り空間を一定に保つことができるとともに、前記回転体による巻取り抵抗の低減によりスムーズな電源コード巻取り性を確保することができるものである。
【０００９】
第２の発明は、回転体を、円筒状に構成し、ドラム支持軸を中心に複数、放射状に配置したものであり、本構成をとることで、回転体を電源コードの巻取り長さに関わらず、電源コードの巻取り方向（進入方向）に対して回転できる配置とすることができる。よって、電源コードの引き出し長さに関係なく、常に良好な操作性（巻取り，引き出し性）を得る事ができるものである。
【００１０】
第３の発明は、回転体の外径を電源コードの線径よりも小さくすることを特徴としたもので、上記発明と同様に電源コード巻取り時の回転抵抗を少なくし、電源コードへの負担をより抑え長期的な使用を可能にするものである。
【００１１】
第４の発明は、回転体に螺旋形状の溝あるいは凸部を設けるもので、電源コード巻取り時には回転体の回転を利用して電源コードを内側（巻取り胴部側）へ移送し、電源コード引き出し時には外側へ送り出すというように電源コードの移動をアシストする機能を持たせることができるものである。
【００１２】
第５の発明は、電源コードの被覆断面形状を縦筋の凸部をもたせることで、回転ドラムの底壁との接触抵抗を抑えることができるものである。
【００１３】
第６の発明は、第１〜５のいずれか１つの発明の電源コード巻き取り装置を備えた電気掃除機としたもので、電源コード巻き取りの使用性を向上した電気掃除機を提供できる。
【００１４】
以下、本発明の実施の形態について、図面を参照しながら説明する。なお、この実施の形態によって本発明が限定されるものではない。
【００１５】
（実施の形態１）
本発明の第１の実施の形態における電源コード巻取り装置及びそれを搭載した電気掃除機について、図１〜図６を用いて説明する。
【００１６】
図１は、本実施の形態における電気掃除機本体外観の平面図（ａ）および側面図（ｂ）である。図２は同電気掃除機の中央断面図、図３は本発明の特徴となる電源コード巻取り装置の平面図で、図４は同中央断面図である。図５は回転体の斜視図、図６は電源コードの外観図および断面図を示すものである。
【００１７】
図１、２において、電気掃除機本体１（以下、「本体」と言う）は略円形のものであり、円形形状をした本体１下部には走行車輪と電源コード巻取り装置３が設けられている。走行車輪２は、円形の本体１の中央に進行方向へ回転自在なセンター車輪４と、このセンター車輪４を中心に放射状に配置された各々は３６０度回動自在な５つのキャスターで構成されている。さらにセンター車輪４においては下方（走行面方向に）バネ６付勢されている。走行車輪２の上段には前記電源コード巻取り装置３が配置され、電源プラグ７が本体１後部に配置されている。さらに、電源コード巻取り装置３の上段（本体上部）には、前方に塵埃を収容する集塵袋８を備えた集塵室９を、後方には塵埃を吸引するための電動送風機１０を配置している。集塵室９は開閉自在な集塵蓋１１で覆われている。
【００１８】
上記構成による動作は、電動送風機１０によって吸引された塵埃は集塵室９内の集塵袋８に収容される。集塵袋８は集塵蓋１１を開け容易に交換できる。また、本体走行については本体１中央に配置されたセンター車輪４にはバネ６付勢効果により床面の凹凸に追従する機能がある。また、床面に対して確実に設置させることとあわせて、進行方向にのみ回転させることで直進安定性を確保することができたり、センター車輪４を回転軸として、その場で３６０度回転できたりと非常にスムーズに走行することが可能である。
【００１９】
次に本発明の特徴である電源コード巻取り装置３の構成について図２〜６を用いて説明する。
【００２０】
電源コード巻取り装置３と同心円形状を成す本体１下にドラム支持軸１２を固定するとともに、回転ドラム１３の底壁１４の撓み規制をするための円周状に設けた撓み規制リブ１５と、電源コード１６が回転ドラム１３の底壁１４から外側へ広がるのを規制する広がり規制リブ１７を設け、電源コード１６が下方および外方向へ逃げ出すのを規制している。
【００２１】
また、上方への広がりを規制するものとして、回転ドラム１３の底壁１４と平行に筒状の回転体１９を設けている。回転体１９は、回転体支持軸１８で回転自在に支持されたており、回転ドラム１３の底壁１４との空間を電源コード１６の線径に線径の約２０％程度の隙間を一定に確保した高さでドラム支持軸１２を中心として放射状に６本配置している。このとき、回転体支持軸１８の一端はドラム支持軸１２に固定し、他端は９０度屈曲させた状態で上方に抜けないように本体１下に固定している。
【００２２】
また、回転体１９の長さは電源コード１６の巻取り半径をすべて覆うように、回転ドラム１３の巻き取り胴部２０よりも内側から、本体１下の広がり規制リブ１５の外側までの長さを有している。また、電源コード１６の線径φ７．２ｍｍ〜φ８．４ｍｍに対し、回転体１９の外径をφ６ｍｍ前後、回転体支持軸１８の外径をφ３ｍｍ程度としている。回転体１９の材質としては、ＰＯＭやＰＡ等滑り性が良い物を選択し、回転体支持軸１８には剛性を確保するためにＳＵＳ等の金属軸を採用している。
【００２３】
さらに、回転ドラム１３の回転付勢は回転ドラム１３の下側に配置されたゼンマイバネ２１にて行っている。また、同じく回転ドラム底壁１４の下側には垂直方向に突出した制動面を回転ドラム１３と一体で形成しており、この制動面を制動手段によって回転規制を行っているものである（図示せず）。
【００２４】
本構成における動作としては、電源コード１６を引き出すと回転ドラム１３が回転すると同時にゼンマイバネ２１が巻き締まる。電源コード１６は制動手段により、任意の長さで制動状態を保つことができる。電源コード１６を巻き取る時には、制動手段を解除するとゼンマイバネ２１の復元力により回転ドラム１３が電源コード１６の巻取り方向に回転し電源コード１６を巻き取る。この時、電源コード１６は回転ドラム１３の底壁１４と一定の空間を確保している回転体１９との接触を繰り返し規制されながら、回転ドラム１３の巻取り胴部２０を中心に一段で内側から外側へと、きっちりと巻き取られていく。回転体１９は電源コード１６が接触しても巻取りスピードが落ちないように自らが回転し逃げる働きをすることで、スムーズで確実な電源コード１６の操作性（引き出し，巻き取り性）を実現している。また、回転体を回転ドラムの底壁と平行に配置することで、電源コードの巻取り隙間を常に一定に保つことができ、電源コードの上下ずれを抑え、回転ドラムおよび隣接する電源コードとの接触抵抗をほぼ同一とすることができる。これにより、電源コード引き出し時の引き出し力を安定させることができ、滑らかな電源コードの引き出しを可能にすることができる。
【００２５】
（実施の形態２）
次に、本発明における第二の実施の形態について図５を用いて説明する。
【００２６】
図５に示すように回転体１９の外形に螺旋形状の溝あるいは凸部２２を設けており、本構成の動作としては、電源コード１６巻取り時には回転体１９の回転を利用して電源コード１６を内側（巻取り胴部側）へ移送し、電源コード１６引き出し時には外側へ送り出すというように電源コード１６の移動をアシストする機能を持たせることができ、使い勝手の向上を図ることが出来る。
【００２７】
（実施の形態３）
次に、本発明における第三の実施の形態について図６を用いて説明する。
【００２８】
図６に示すように、電源コード１６の被覆に長手方向に細い筋状の凸部２３を設けており、本構成における動作は、電源コード１６巻取り時の回転ドラム１３の底壁１４との接触抵抗を低減でき、電源コード１６巻取りに必要なゼンマイバネ２１のトルクを下げることが可能になる。すると、電源コード１６引き出し時の引き出し力を下げることにつながり、操作性の改善を図ることができるとともに、ゼンマイバネ２１の質量および価格低減を図ることができるものである。
【産業上の利用可能性】
【００２９】
以上のように、本発明にかかる電気掃除機の電源コード巻取り装置は、装置内でのコードの重なりを防止しスムーズに電源コードの出し入れができる使い勝手の良い電気掃除機として有用である。
【図面の簡単な説明】
【００３０】
【図１】（ａ）本発明の実施の形態における電気掃除機本体外観の平面図（ｂ）同電気掃除機本体外観の側面図
【図２】同電気掃除機の中央断面図
【図３】同電源コード巻取り装置の平面図
【図４】同電源コード巻取り装置の中央断面図
【図５】同電源コード巻取り装置の第二の実施の形態である回転体の斜視図
【図６】同電源コード巻取り装置の第三の実施形態を示す電源コードの外観図および断面図
【符号の説明】
【００３１】
１    電気掃除機本体
３    電源コード巻取り装置
１２  ドラム支持軸
１３  回転ドラム
１６  電源コード
１９  回転体
２０  巻取り胴部
２２  溝又は凸部
２３  凸部
【図１】
2009240550.tif 000003
【図２】
2009240550.tif 000004
【図３】
2009240550.tif 000005
【図４】
2009240550.tif 000006
【図５】
2009240550.tif 000007
【図６】
2009240550.tif 000008